(57)【要約】【課題】  操作の利便性が十分に向上された動物用血液分析装置を提供することである。【解決手段】  本発明は、複数の種類の動物の血液を測定可能な動物用血液分析装置であって、タッチパネル式ディスプレイと、複数の種類の動物から測定対象の動物を選択するための選択画面をタッチパネル式ディスプレイに表示する選択画面表示手段と、タッチパネル式ディスプレイに表示された選択画面を介して選択された測定対象動物の血液の測定が開始されると、測定の進捗に伴ってエサに向かって移動するように測定対象動物の絵を表示する測定中画面をタッチパネル式ディスプレイに表示する測定中画面表示手段と、を備える動物用血液分析装置を提供する。【選択図】      図４
2008224693.tif 000002
【特許請求の範囲】
【請求項１】
複数の種類の動物の血液を測定可能な動物用血液分析装置であって、
タッチパネル式ディスプレイと、
複数の種類の動物から測定対象の動物を選択するための選択画面をタッチパネル式ディスプレイに表示する選択画面表示手段と、
タッチパネル式ディスプレイに表示された選択画面を介して選択された測定対象動物の血液の測定が開始されると、測定の進捗に伴ってエサに向かって移動するように測定対象動物の絵を表示する測定中画面をタッチパネル式ディスプレイに表示する測定中画面表示手段と、を備える動物用血液分析装置。
【請求項２】
タッチパネル式ディスプレイは、動物用血液分析装置前面の上部に配置されている、請求項１記載の動物用血液分析装置。
【請求項３】
測定が終了すると分析結果を表示するための分析結果画面をタッチパネル式ディスプレイに表示する分析結果画面表示手段をさらに備え、分析結果画面は、測定対象動物の絵を表示する測定対象動物表示領域を備える、請求項１または２に記載の動物用血液分析装置。
【請求項４】
測定中画面は、測定対象動物の種類を示す文字を表示する文字表示領域を備える、請求項1乃至３のいずれかに記載の動物用血液分析装置。
【請求項５】
選択画面は、操作者がタッチ操作をすることにより測定対象動物の選択を受け付ける選択受付領域を備える、請求項1乃至４のいずれかに記載の動物用血液分析装置。
【請求項６】
選択画面および測定中画面は、測定中の血液を識別するための検体番号を表示する検体番号表示領域をそれぞれ備える、請求項1乃至５のいずれかに記載の動物用血液分析装置。
【請求項７】
選択画面および測定中画面に表示される検体番号の入力を受け付けるためのテンキーをタッチパネル式ディスプレイに表示するテンキー表示手段をさらに備える、請求項６記載の動物用血液分析装置。
【発明の詳細な説明】
【技術分野】
【０００１】
本発明は、動物用血液分析装置に関し、使用者が容易に使用することができる動物用血液分析装置に関する。
【背景技術】
【０００２】
従来の分析装置は、ディスプレイを備え、このディスプレイを使用して、測定動作を開始するための命令の入力や分析結果の表示などを行うよう構成されている。さらに、従来の分析装置には、複数の測定モードで動作可能なものもあり、このような分析装置には、選択されている測定モードに応じてディスプレイに表示されるスタートボタンの色を変更するものもある（例えば、特許文献１）。従来の分析装置は、このような構成とすることにより、操作の利便性を向上させている。
【０００３】
【特許文献１】米国特許出願公開第２００３／００７０４９８
【発明の開示】
【発明が解決しようとする課題】
【０００４】
例えば、特許文献１に記載されている分析装置は、使用者が、スタートボタンの色と測定モードとを対応付けて記憶していれば選択されている測定モードを理解することができる。しかし、操作に不慣れな使用者にとっては、スタートボタンの色の変更が何を意味するのかを理解することができないこともあり、操作の利便性の向上が十分であるとは言えない。本発明が解決しようとする課題は、操作の利便性が十分に向上された分析装置を提供することである。
【課題を解決するための手段】
【０００５】
本発明は、複数の種類の動物の血液を測定可能な動物用血液分析装置であって、タッチパネル式ディスプレイと、複数の種類の動物から測定対象の動物を選択するための選択画面をタッチパネル式ディスプレイに表示する選択画面表示手段と、タッチパネル式ディスプレイに表示された選択画面を介して選択された測定対象動物の血液の測定が開始されると、測定の進捗に伴ってエサに向かって移動するように測定対象動物の絵を表示する測定中画面をタッチパネル式ディスプレイに表示する測定中画面表示手段と、を備える動物用血液分析装置を提供する。
【発明を実施するための最良の形態】
【０００６】
以下、分析装置の一例として、血液分析装置を例に説明する。
図１は、本発明の実施形態に係る血液分析装置の構成を示す図である。血液分析装置１は、イヌおよびネコの赤血球や白血球の数などを計数する血球計数装置である。血液分析装置１は、イヌの血液を測定するためのイヌ測定モードおよびネコの血液を測定するためのネコ測定モードで動作可能である。
【０００７】
図１に示すように、血液分析装置１は、ハウジング２、ディスプレイ３、検体セットパネル４、押しボタン５、制御基板部９、電源部１０、プリンタ部１１、および、測定機構１２を備える。ハウジング２は、ディスプレイ３、制御基板部９、電源部１０、プリンタ部１１、および測定機構１２を収容する。
ディスプレイ３はタッチパネル式ディスプレイであり、情報の表示を行うとともに、使用者からの入力を受け付ける。
測定機構１２は、検体セット部６、検体処理部７、および、流体制御部８を備える。
検体セット部６は、上面が開口であり、上面からその内部に検体容器をセットすることができる。検体セットパネル４は、検体セット部６に取り付けられており、ハウジング２の外側に位置している。
【０００８】
押しボタン５は、ハウジング２の外側に備えられており、検体セットパネル４と係合することによって、検体セット部６を位置決めしている。押しボタン５が使用者によって押されると、押しボタン５による係合が解除され、検体セット部６が検体セットパネル４と一体となって軸Ｒを中心に矢印Ａの方向に４５度回転する。これによって、使用者は、検体セット部６の上面から検体容器（血液を収容した容器）をセットすることができる。検体容器をセットした使用者は、検体セットパネル４を押して、検体セット部６を図１に示す位置に戻す。同様に、検体容器を検体セット部６から取出す時は、使用者は、押しボタン５を押すことによって、検体セット部６を４５度回転させて検体容器を取出すことができる。
【０００９】
検体処理部７は、吸引機構１６、検出部１７、および、ミックスチャンバ１８を備える。
吸引機構１６は、検体セット部６にセットされた検体容器から検体を吸引して検出部１７やミックスチャンバ１８に注入するための機構であり、吸引管やそれを移動させるモータなどを備える。
検出部１７は、電気抵抗式の検出部であり、検体中の血球から電気信号を検出する。検出部１７としては、例えば、米国特許出願公開第２００２／００３４８２４号明細書に記載の検出部を使用できる。
【００１０】
ミックスチャンバ１８は、検体と試薬とを混合するための上部が開口の容器である。流体制御部８には、試薬を収容した試薬容器１３がチューブ１５を介して接続されている。流体制御部８は、試薬を移送するポンプや、ポンプを駆動するモータなどを備え、検体や試薬を検出部１７やミックスチャンバ１８に注入したり、それらから排出したりする。
制御基板部９は、各部を制御するとともに分析結果を算出する。制御基板部９の構成については後述する。
電源部１０は、商用交流電源から受けた交流電流を直流電流に変換して、制御基板部９や各部のモータなどに供給する。
プリンタ部１１は、分析結果などを印刷するプリンタを備える。
【００１１】
図２は、制御基板部９の構成を示す図である。制御基板部９は、ＣＰＵ２０、メモリ２１、駆動回路２２、アラーム２３、およびＡ／Ｄ変換回路２４を備える。
メモリ２１は、プログラムや分析結果などの記憶を行う。メモリ２１としては、例えばフラッシュメモリ（登録商標）が使用できる。メモリ２１には、領域２１ａ、領域２１ｂ、領域２１ｃ、および、領域２１ｄなどが含まれている。
【００１２】
領域２１ａには、血液分析装置１の総括的な制御を行うためのアプリケーションプログラムが記憶されている。領域２１ｂには、流体制御部８や吸引機構１６のモータなどを動作させて測定動作の制御を行う測定動作プログラムが記憶されている。領域２１ｃおよび２１ｄは、アプリケーションプログラムおよび測定動作プログラムが共に使用する領域である。領域２１ｃには、各種のフラグが記憶され、領域２１ｄには、検出部１７で検出された電気信号をデジタル変換することによって得られた検出結果が記憶される。駆動回路２２は、測定動作プログラムからの指令を受けてモータの動作などを制御する。アラーム２３は、アプリケーションプログラムからの命令を受けて音を発生する。
Ａ／Ｄ変換回路２４は、検出部１７で得られる電気信号をデジタル変換する回路である。
【００１３】
以下、ディスプレイ３に表示される画面について説明する。
図３は、メイン画面を示す図である。使用者は、この画面を使用して測定モードの選択および測定開始の指示などを実行する。
メイン画面３１は、装置状態表示領域４１、印刷指示領域４３、検体番号表示領域４５、動物種表示領域４７、イヌ選択領域４８，ネコ選択領域４９、および、スタートボタン表示領域５０を備える。
【００１４】
装置状態表示領域４１は、血液分析装置１の現在の状態を表示する領域であり、この図では、血液分析装置１が測定開始が可能な状態であることを示す、「スタンバイ」の文字が表示されている。
印刷指示領域４３は、分析結果などをプリンタ部１１で印刷することを指示するためのアイコンを表示する領域である。
検体番号表示領域４５は、次に測定しようとする検体の検体番号を表示する領域である。この図では、検体番号として「１」が表示されている。なお、検体番号の入力は、使用者が検体番号表示領域４５に触れると、テンキー（図示せず）が表示され、そのテンキーを使用して行われる。
【００１５】
測定モード表示領域４７は、選択されている測定モードを文字で表示する領域である。この図では、イヌ測定モードが選択されていることを示している。
イヌ選択領域４８は、イヌ測定モードを選択するためのアイコン４８ａが表示される領域であり、使用者がこのアイコン４８ａに触れることにより、イヌ測定モードが選択される。
ネコ選択領域４９は、ネコ測定モードを選択するためのアイコン４９ａが表示される領域であり、使用者がこのアイコン４９ａに触れることにより、ネコ測定モードが選択される。
なお、アイコン４８ａおよび４９ａは、使用者がどのアイコンに触れればよいかを容易に理解できるよう、それぞれイヌの絵、ネコの絵で表示されている。
スタートボタン表示領域５０は、測定開始の指示をするためのスタートボタン５０ａを表示する領域である。
【００１６】
図４は、イヌ測定モードが選択されている場合に、使用者がスタートボタン表示領域５０（図３）に触れた直後にディスプレイ３に表示される初期測定中画面（イヌ）を示す図である。なお、図３で説明した領域と同じ機能の領域には同じ符号を付け、説明を省略する。
初期測定中画面（イヌ）３２ａは、装置状態表示領域４１、印刷指示領域４３、測定モード表示領域５１、検体番号表示領域５２、分析結果表示領域５４、および、進捗表示領域５５を備える。
【００１７】
装置状態表示領域４１には、吸引機構１６が検体を吸引中であることを示す「吸引中」の文字が表示されている。
測定モード表示領域５１は、選択されている測定モードを絵で表示する領域である。測定モード表示領域５１には、イヌの絵５１ａが表示されており、イヌ測定モードが選択されていることを示している。なお、イヌの絵５１ａには、「Ｄｏｇ」の文字も含まれており、これによって、選択されている測定モードをより理解しやすくしている。
検体番号表示領域５２は、測定中の検体の検体番号（ＩＤ）を表示する領域である。この図では、ＩＤとして「１」が表示されている。
【００１８】
分析結果表示領域５４は、検体の分析結果を表示する領域である。初期測定中画面３２ａでは、この領域には、測定項目と単位のみが表示されており、分析結果は表示されていない。
進捗表示領域５５は、測定の進捗を表示する領域である。初期測定中画面３２ａでは、進捗表示領域５５には、イヌの絵５６ａとエサの絵５７とが表示されており、イヌの絵５６ａは、進捗表示領域５５の左端の位置５５ａに表示されている。
なお、イヌの絵５１ａおよび５６ａはメモリ２１（図２）の領域２１ａに記憶されている。
【００１９】
図５は、ネコ測定モードが選択されている場合に、使用者がスタートボタン表示領域５０に触れた直後にディスプレイ３に表示される初期測定中画面（ネコ）を示す図である。
初期測定中画面（ネコ）３２ｂは、装置状態表示領域４１、印刷指示領域４３、測定モード表示領域５１、検体番号表示領域５２、分析結果表示領域５４、および、進捗表示領域５５を備える。
【００２０】
測定モード表示領域５１には、ネコの絵５１ｂが表示されており、ネコ測定モードが選択されていることを示している。なお、ネコの絵５１ｂには、「Ｃａｔ」の文字も含まれており、これによって、選択されている測定モードをより理解しやすくしている。
初期測定中画面３２ｂでは、進捗表示領域５５には、ネコの絵５６ｂとエサの絵５７とが表示されており、ネコの絵５６ｂは、進捗表示領域５５の左端の位置５５ａに表示されている。
なお、ネコの絵５１ｂおよび５６ｂはメモリ２１（図２）の領域２１ａに記憶されている。
【００２１】
図６は、イヌ測定モードが選択されている場合、測定動作中に、初期測定中画面３２ａ（図４）に続いて表示される測定中画面（ＬＶ０）を示す図である。
測定中画面（ＬＶ０）３３ａは、装置状態表示領域４１、印刷指示領域４３、測定モード表示領域５１、検体番号表示領域５２、分析結果表示領域５４、および、進捗表示領域５５を備える。
イヌの絵５６ａは、初期測定中画面（イヌ）３２ａの場合と比べてエサ５７に近い位置５５ｂに表示されている。
【００２２】
図７は、イヌ測定モードが選択されている場合、測定動作中に、測定中画面（ＬＶ０）３３ａ（図６）に続いて表示される測定中画面（検体取出）を示す図である。
測定中画面（検体取出）３４ａは、装置状態表示領域４１、印刷指示領域４３、測定モード表示領域５１、検体番号表示領域５２、分析結果表示領域５４、進捗表示領域５５、および、検体取出通知領域５８を備える。
装置状態表示領域４１には、血液分析装置１が、吸引機構１６による検体の吸引が終了して、試料調製、検出などの動作をしていることを示す「動作中」の文字が表示されている。
【００２３】
検体取出通知領域５８は、吸引機構１６による検体の吸引が終了したため、使用者が押しボタン５を押して検体セット部６から検体容器を取出してもよいことを通知する領域である。検体取出通知領域５８には、「検体を取り出せます」という文字が表示されている。
イヌの絵５６ａは、測定中画面（ＬＶ０）３３ａ（図６）の場合と同じ位置５５ｂに表示されている。
【００２４】
図８は、イヌ測定モードが選択されている場合、測定動作中に、測定中画面（検体取出）３４ａ（図７）に続いて表示される測定中画面（ＬＶ１）を示す図である。
測定中画面（ＬＶ１）３５ａは、装置状態表示領域４１、印刷指示領域４３、測定モード表示領域５１、検体番号表示領域５２、分析結果表示領域５４、進捗表示領域５５、および、検体取出通知領域５８を備える。
イヌの絵５６ａは、測定中画面（検体取出）３４ａの場合と比べてエサ５７に近い位置５５ｃに表示されている。
【００２５】
図９は、イヌ測定モードが選択されている場合、測定動作中に、測定中画面（ＬＶ１）３５ａ（図８）に続いて表示される測定中画面（ＬＶ２）を示す図である。
測定中画面（ＬＶ２）３６ａは、装置状態表示領域４１、印刷指示領域４３、測定モード表示領域５１、検体番号表示領域５２、分析結果表示領域５４、進捗表示領域５５、および、検体取出通知領域５８を備える。
【００２６】
イヌの絵５６ａは、エサの絵５７に近接する位置５５ｄに表示されている。また、ハートの絵６０がイヌの絵５６ａに近接して表示されている。これらの絵は、イヌがエサを食べることができる状態になり、喜んでいることを示している。これによって、使用者は、測定機構１２による測定動作が終了したことを知ることができ、間もなく分析結果が表示されることを知ることができる。すなわち、ハートの絵６０は、測定動作が終了したことを使用者に知らせるための絵（終了通知絵）である。
【００２７】
図１０は、ネコ測定モードが選択されている場合、測定動作中に、初期測定中画面３２ｂ（図５）に続いて表示される測定中画面（ＬＶ０）を示す図である。
測定中画面（ＬＶ０）３３ｂは、装置状態表示領域４１、印刷指示領域４３、測定モード表示領域５１、検体番号表示領域５２、分析結果表示領域５４、および、進捗表示領域５５を備える。
ネコの絵５６ｂは、初期測定中画面（ネコ）３２ｂの場合と比べてエサ５７に近い位置５５ｂに表示されている。
【００２８】
図１１は、ネコ測定モードが選択されている場合、測定動作中に、測定中画面（ＬＶ０）３３ｂ（図１０）に続いて表示される測定中画面（検体取出）を示す図である。
測定中画面（検体取出）３４ｂは、装置状態表示領域４１、印刷指示領域４３、測定モード表示領域５１、検体番号表示領域５２、分析結果表示領域５４、進捗表示領域５５、および、検体取出通知領域５８を備える。
装置状態表示領域４１には、血液分析装置１が、吸引機構１６による検体の吸引が終了して、試料調製、検出などの動作をしていることを示す「動作中」の文字が表示されている。
【００２９】
検体取出通知領域５８は、吸引機構１６による検体の吸引が終了したため、使用者が押しボタン５を押して検体セット部６から検体容器を取出してもよいことを通知する領域である。検体取出通知領域５８には、「検体を取り出せます」という文字が表示されている。
ネコの絵５６ｂは、測定中画面（ＬＶ０）３３ｂ（図１０）の場合と同じ位置５５ｂに表示されている。
【００３０】
図１２は、ネコ測定モードが選択されている場合、測定動作中に、測定中画面（検体取出）３４ｂ（図１１）に続いて表示される測定中画面（ＬＶ１）を示す図である。
測定中画面（ＬＶ１）３５ｂは、装置状態表示領域４１、印刷指示領域４３、測定モード表示領域５１、検体番号表示領域５２、分析結果表示領域５４、進捗表示領域５５、および、検体取出通知領域５８を備える。
ネコの絵５６ｂは、測定中画面（検体取出）３４ｂの場合と比べてエサ５７に近い位置５５ｃに表示されている。
【００３１】
図１３は、ネコ測定モードが選択されている場合、測定動作中に、測定中画面（ＬＶ１）３５ｂ（図１２）に続いて表示される測定中画面（ＬＶ２）を示す図である。
測定中画面（ＬＶ２）３６ｂは、装置状態表示領域４１、印刷指示領域４３、測定モード表示領域５１、検体番号表示領域５２、分析結果表示領域５４、進捗表示領域５５、および、検体取出通知領域５８を備える。
【００３２】
ネコの絵５６ｂは、エサの絵５７に近接する位置５５ｄに表示されている。また、ハートの絵６０がネコの絵５６ａに近接して表示されている。これらの絵は、ネコがエサを食べることができる状態になり、喜んでいることを示している。これによって、使用者は、測定機構１２による測定動作が終了したことを知ることができ、間もなく分析結果が表示されることを知ることができる。すなわち、ハートの絵６０は、測定動作が終了したことを使用者に知らせるための絵である。
【００３３】
図４から図１３に示したように、進捗表示領域５５には、イヌ測定モードが選択されている場合には、イヌの絵５６ａが表示され、ネコ測定モードが選択されている場合には、ネコの絵５６ｂが表示される。これによって、使用者は、測定の進捗を確認するとともに、選択されている測定モードを同時に確認することができる。進捗表示領域５５は測定の進捗を確認するため、使用者が特に注目する領域である。従って、この領域に測定モードを表現する絵を表示することによって、使用者は特別な意識をすることなく測定モードを確認することができる。
【００３４】
図１４は、イヌ測定モードが選択されている場合、測定中画面（ＬＶ２）３６ａ（図９）に続いて表示される分析結果画面（イヌ）を示す図である。
分析結果画面（イヌ）３７ａは、装置状態表示領域４１、印刷指示領域４３、測定モード表示領域５１、検体番号表示領域５２、および、分析結果表示領域５
４を備える。
装置状態表示領域４１は、血液分析装置１は測定開始が可能な状態、すなわち、「スタンバイ」であることを示している。
測定モード表示領域５１には、イヌの絵５１ａが表示されている。
分析結果表示領域５４には、ＣＰＵ２０（図２）によって算出された分析結果が表示されている。
【００３５】
図１５は、ネコ測定モードが選択されている場合、測定中画面（ＬＶ２）３６ｂ（図１３）に続いて表示される分析結果画面（ネコ）を示す図である。
分析結果画面（ネコ）３７ｂは、装置状態表示領域４１、印刷指示領域４３、測定モード表示領域５１、検体番号表示領域５２、および、分析結果表示領域５４を備える。
装置状態表示領域４１は、血液分析装置１は測定開始が可能な状態、すなわち、「スタンバイ」であることを示している。
測定モード表示領域５１には、ネコの絵５１ｂが表示されている。
分析結果表示領域５４には、ＣＰＵ２０（図２）によって算出された分析結果が表示されている。
【００３６】
次に、図１６〜２１を使用して、血液分析装置１の動作について説明する。
図１６は、メモリ２１の領域２１ａに記憶されているアプリケーションプログラムによって実行される処理を概略的かつ総括的に示すフローチャートである。
ステップＳ１では、初期処理が行われる。この処理では、メイン画面３１（図３）をディスプレイ３に表示させる処理、スタートフラグ（スタートＦ）を「０」にする処理、イヌフラグ（イヌＦ）を「１」にする処理、および、ネコフラグ（ネコＦ）を「０」にする処理が実行される。
【００３７】
ステップＳ２では、ディスプレイ３から入力があったか否かを判断する処理が実行される。入力があればステップＳ３に進み、入力がなければステップＳ９に進む。
ステップＳ３では、入力が領域５０への入力であるか否かを判断する処理が実行される。すなわち、ステップＳ３では、入力がスタートボタン５０ａの入力であるか否かを判断する処理が実行される。入力が領域５０への入力であれば、処理はステップＳ４に進み、領域５０への入力でなければ、ステップＳ５に進む。
ステップＳ４では、スタートフラグを「１」にする処理が実行される。
ステップＳ５では、入力が領域４８への入力であるか否かを判断する処理が実行される。すなわち、ステップＳ５では、入力がイヌアイコン４８ａの入力であるか否かを判断する処理が実行される。入力が領域４８への入力であれば、処理はステップＳ６に進み、領域４８への入力でなければステップＳ７に進む。
【００３８】
ステップＳ６では、イヌフラグを「１」にし、ネコフラグを「０」にする処理が実行される。この処理によってイヌモードが選択される。
ステップＳ７では、入力が領域４９への入力であるか否かを判断する処理が実行される。
すなわち、ステップＳ７では、入力がネコアイコン４９ａの入力であるか否かを判断する処理が実行される。入力が領域４９への入力であれば、処理はステップＳ８に進み、領域４９への入力でなければステップＳ９に進む。
【００３９】
ステップＳ８では、イヌフラグを「０」にし、ネコフラグを「１」にする処理が実行される。この処理によってネコモードが選択される。
ステップＳ９では、スタートフラグが「１」であるか否かを判断する処理が実行される。スタートフラグが「１」であれば、処理はステップＳ１０に進み、スタートフラグが「１」でなければ、ステップＳ２に進む。
ステップＳ１０では、測定処理が実行される。測定処理の詳細は、図１７に示す。
ステップＳ２からステップＳ１０までの処理は繰り返し実行される。
【００４０】
図１７を使用してステップＳ１０における測定処理の内容を説明する。
図１７は、測定処理ルーチンの詳細を示すフローチャートである。
ステップＳ２１では、初期測定中画面（イヌ）３２ａ（図４）または初期測定中画面（ネコ）３２ｂ（図５）をディスプレイ３に表示させる処理が実行される。この処理によって、イヌモードが選択されていれば初期測定中画面（イヌ）３２ａがディスプレイ３に表示され、ネコモードが選択されていれば初期測定中画面（ネコ）３２ｂがディスプレイ３に表示される。この処理の詳細は、図１８に示す。
【００４１】
ステップＳ２２では、メモリ２１の領域２１ｂに記憶されている測定動作プログラムを起動する処理が実行される。測定動作プログラムによって、流体制御部８や吸引機構１６のモータなどの動作が制御されるとともに、ＬＶ０フラグ（ＬＶ０Ｆ）、吸引完了フラグ（吸引完了Ｆ）、ＬＶ１フラグ（ＬＶ１Ｆ）、ＬＶ２フラグ（ＬＶ２Ｆ）、および、測定終了フラグ（測定終了Ｆ）の設定が行われる。測定動作プログラムによる処理手順は、図１９に示す。以下、アプリケーションプログラムによる処理と測定動作プログラムによる処理が並行して実行される。
ステップＳ２３では、読取処理が実行される。読取処理とは、フラグの内容を所定時間毎に読み取る処理である。
【００４２】
ステップＳ２４では、ＬＶ０フラグが「１」であるか否かを判断する処理が実行される。ＬＶ０フラグが「１」であれば、処理はステップＳ２５に進み、ＬＶ０フラグが「１」でなければ、ステップＳ２９に進む。
ステップＳ２５では、初期測定中画面（イヌ）３２ａ（図４）または初期測定中画面（ネコ）３２ｂ（図５）の位置５５ａからイヌの絵５６ａまたはネコの絵５６ｂを消去する処理、すなわち、位置５５ａの表示を初期化する処理が実行される。
ステップＳ２６では、イヌフラグが「１」であるか否かを判断する処理が実行される。イヌフラグが「１」であれば、処理はステップＳ２７に進み、イヌフラグが「１」でなければ、ステップＳ２８に進む。
【００４３】
ステップＳ２７では、位置５５ｂにイヌの絵５６ａを表示する処理が実行される。この処理によって、ディスプレイ３には測定中画面（ＬＶ０）３３ａ（図６）が表示される。
ステップＳ２８では、位置５５ｂにネコの絵５６ｂを表示する処理が実行される。この処理によって、ディスプレイ３には測定中画面（ＬＶ０）３３ｂ（図１０）が表示される。ステップＳ２９では、吸引完了フラグが「１」であるか否かを判断する処理が実行される。吸引完了フラグが「１」であれば、処理はステップＳ３０に進み、吸引完了フラグが「１」でなければ、ステップＳ３１に進む。
【００４４】
ステップＳ３０では、検体取出通知領域５８に「検体を取り出せます」の文字を表示させるとともに、アラーム２３から注意喚起のための音を発生させる処理が実行される。また、ステップＳ３０では、装置状態表示領域４１の「吸引中」の文字を「動作中」の文字に変更する処理が実行される。この処理によって、ディスプレイ３には測定中画面（検体取出）３４ａ（図７）または測定中画面（検体取出）３４ｂ（図１１）が表示される。
ステップＳ３１では、ＬＶ１フラグが「１」であるか否かを判断する処理が実行される。ＬＶ１フラグが「１」であれば、処理はステップＳ３２に進み、ＬＶ１フラグが「１」でなければ、ステップＳ３６に進む。
【００４５】
ステップＳ３２では、測定中画面（検体取出）３４ａ（図７）または３４ｂ（図１１）の位置５５ｂからイヌの絵５６ａまたはネコの絵５６ｂを消去する処理、すなわち、位置５５ｂを初期化する処理が実行される。
ステップＳ３３では、イヌフラグが「１」であるか否かを判断する処理が実行される。イヌフラグが「１」であれば、処理はステップＳ３４に進み、イヌフラグが「１」でなければ、ステップＳ３５に進む。
ステップＳ３４では、位置５５ｃにイヌの絵５６ａを表示する処理が実行される。この処理によって、ディスプレイ３には測定中画面（ＬＶ１）３５ａ（図８）が表示される。
ステップＳ３５では、位置５５ｃにネコの絵５６ｂを表示する処理が実行される。この処理によって、ディスプレイ３には測定中画面（ＬＶ１）３５ｂ（図１２）が表示される。
ステップＳ３６では、ＬＶ２フラグが「１」であるか否かを判断する処理が実行される。ＬＶ２フラグが「１」であれば、処理はステップＳ３７に進み、ＬＶ２フラグが「１」でなければ、ステップＳ４１に進む。
【００４６】
ステップＳ３７では、測定中画面（ＬＶ１）３５ａ（図８）または３５ｂ（図１２）の位置５５ｃからイヌの絵５６ａを消去する処理、すなわち、位置５５ｃを初期化する処理が実行される。
ステップＳ３８では、イヌフラグが「１」であるか否かを判断する処理が実行される。イヌフラグが「１」であれば、処理はステップＳ３９に進み、イヌフラグが「１」でなければ、ステップＳ４０に進む。
ステップＳ３９では、位置５５ｄにイヌの絵５６ａを表示し、イヌの絵５６ａに近接する位置にハートの絵６０を表示する処理が実行される。この処理によって、ディスプレイ３には測定中画面（ＬＶ２）３６ａ（図９）が表示される。
【００４７】
ステップＳ４０では、位置５５ｄにネコの絵５６ｂを表示し、ネコの絵５６ｂに近接する位置にハートの絵６０を表示する処理が実行される。この処理によって、ディスプレイ３には測定中画面（ＬＶ２）３６ｂ（図１３）が表示される。
ステップＳ４１では、測定終了フラグが「１」であるか否かを判断する処理が実行される。測定終了フラグが「１」であれば、処理はステップＳ４２に進み、測定終了フラグが「１」でなければ、ステップＳ４５に進む。
ステップＳ４２では、測定動作プログラムの処理によって得られた検出結果を分析して分析結果を算出する処理が実行される。この処理の詳細は、図２０に示す。
ステップＳ４３では、ステップＳ４２で算出した分析結果を含む分析結果画面（イヌ）３７ａ（図１４）または分析結果画面３７ｂ（図１５）をディスプレイ３に表示させる処理が実行される。
【００４８】
ステップＳ４４では、ステップＳ４３の処理から所定時間が経過した後に、メイン画面３１（図３）をディスプレイ３に表示させる処理が実行される。
ステップＳ４５では、エラー処理が実行される。エラー処理とは、測定が正常に終了しなかった旨をディスプレイ３に表示させる処理である。
ステップＳ４６では、スタートフラグを「０」にする処理が実行される。
【００４９】
図１８を使用してステップＳ２１における初期測定中画面表示処理の内容を説明する。
図１８は、初期測定中画面表示処理ルーチンの詳細を示すフローチャートである。
ステップＳ６１では、メモリ２１の領域２１ａに初期画面を作成する処理が実行される。図２１を使用して、初期画面を説明する。初期画面３２は、装置状態表示領域４１、印刷指示領域４３、測定モード表示領域５１、検体番号表示領域５２、分析結果表示領域５４、および、進捗表示領域５５を備える。測定モード表示領域５１は、空白である。進捗表示領域５５には、エサの絵５７のみが備えられている。
【００５０】
図１８に戻り、初期測定中画面表示処理ルーチンを説明する。
ステップＳ６２では、イヌフラグが「１」であるか否かを判断する処理が実行される。イヌフラグが「１」であれば、処理はステップＳ６３に進み、イヌフラグが「１」でなければ、ステップＳ６４に進む。
ステップＳ６３では、初期画面３２（図２１）の領域５１にイヌの絵５１ａを付加するとともに、位置５５ａにイヌの絵５６ａを付加する処理が実行される。これによって、初期測定中画面（イヌ）３２ａ（図４）が作成される。
ステップＳ６４では、ネコフラグが「１」であるか否かを判断する処理が実行される。ネコフラグが「１」であれば、処理はステップＳ６５に進み、イヌフラグが「１」でなければ、ステップＳ６６に進む。
【００５１】
ステップＳ６５では、初期画面３２の領域５１にネコの絵５１ｂを付加するとともに、位置５５ａにネコの絵５６ｂを付加する処理が実行される。これによって、初期測定中画面（ネコ）３２ｂ（図５）が作成される。
ステップＳ６６では、作成された初期測定中画面（イヌ）３２ａまたは初期測定中画面（ネコ）３２ｂをディスプレイ３に表示させる処理が実行される。
【００５２】
図１９を使用して、ステップＳ２２で起動する測定動作プログラムの内容を説明する。
図１９は、測定動作プログラムによって実行される処理を概略的かつ総括的に示すフローチャートである。
ステップＳ７１では、ＬＶ０フラグを「１」にするとともに、ＬＶ１フラグ、ＬＶ２フラグ、吸引完了フラグ、および、測定終了フラグを「０」にする処理が実行される。
ステップＳ７２では、吸引機構１６が検体を吸引するための命令をする処理が実行される。
ステップＳ７３では、吸引機構１６による検体の吸引が終了した後に、ＬＶ０フラグを「０」にするとともに、吸引完了フラグを「１」にする処理が実行される。
【００５３】
ステップＳ７４では、検体吸引機構１６および流体制御部８が、試料の調製、すなわち、検体の希釈や溶血等の処理をするための命令をする処理が実行される。
ステップＳ７５では、試料の調製が終了した後に、吸引完了フラグを「０」にするとともに、ＬＶ１フラグを「１」にする処理が実行される。
ステップＳ７６では、検出部１７が試料から電気信号を検出するための命令をする処理が実行される。
ステップＳ７７では、ステップＳ７６での命令開始から所定時間経過後に、ＬＶ１フラグを「０」にするとともに、ＬＶ２フラグを「１」にする処理が実行される。
【００５４】
ステップＳ７８では、検出部１７で検出される電気信号をＡ／Ｄ変換回路２４でデジタル変換して、得られた検出結果をメモリ２１の領域２１ｄに書き込む処理が実行される。
ステップＳ７９では、ステップＳ７８での書き込み処理が終了した後に、ＬＶ２フラグを「０」にするとともに、測定終了フラグを「１」にする処理が実行される。
【００５５】
図２０を使用して、ステップＳ４２における分析処理の内容を説明する。
図２０は、分析処理ルーチンの詳細を示すフローチャートである。
ステップＳ９１では、メモリ２１の領域２１ｄに記憶されている検出結果から、赤血球数や白血球数やヘマトクリット値などを算出する。
ステップＳ９２では、イヌフラグが「１」であるか否かを判断する処理が実行される。イヌフラグが「１」であれば、処理はステップＳ９３に進み、イヌフラグが「１」でなければ、ステップＳ９４に進む。
ステップＳ９３では、ステップＳ９１で得られた算出結果をイヌの血液の特性に合わせた補正をする処理が実行される。この処理では、例えば、得られたヘマトクリット値を０．９７倍する処理が実行される。
【００５６】
ステップＳ９４では、ネコフラグが「１」であるか否かを判断する処理が実行される。ネコフラグが「１」であれば、処理はステップＳ９５に進み、ネコフラグが「１」でなければ、ステップＳ４３（図１７）に進む。
ステップＳ９５では、ステップＳ９１で得られた算出結果をネコの血液の特性に合わせた補正をする処理が実行される。この処理では、例えば、得られたヘマトクリット値を０．８８倍する処理が実行される。
【００５７】
なお、この発明の分析装置は、制御基板部９に音源を備えておき、イヌ測定モードの場合はイヌの鳴き声を、ネコ測定モードの場合はネコの鳴き声をその音源から再生するように構成されてもよい。例えば、ステップＳ３９（図１７）において、イヌの絵５６ａを表示するとともに、音源からイヌの鳴き声を再生し、ステップＳ４０（図１７）において、ネコの絵５６ｂを表示するとともに、音源からネコの泣き声を再生するようにしてもよい。これによって、使用者は、泣き声によって、測定が終了したことを知ることができるとともに選択されている測定モードを確認することができる。
【００５８】
また、この発明の分析装置は、選択された測定モードに対応して、メイン画面３１にイヌの絵５１ａまたはネコの絵５１ｂを表示するようにしてもよい。例えば、ステップＳ６（図１６）でイヌフラグおよびネコフラグを設定するとともに、メイン画面３１の印刷指示領域４３とスタートボタン表示領域５０との間の領域にイヌの絵５１ａを表示させ、ステップＳ８でイヌフラグおよびネコフラグを設定するとともに、メイン画面３１の印刷指示領域４３とスタートボタン表示領域５０との間の領域にネコの絵５１ｂを表示させるようにしてもよい。これによって、メイン画面３１において、イヌ測定モードが選択された場合にはイヌの絵５１ａが表示され、ネコ測定モードが選択された場合にはネコの絵５１ｂが表示される。従って、使用者は選択されている測定モードを測定開始前に確認することができるため、誤った測定モードで測定を開始してしまうことを防ぐことができる。
【００５９】
また、この発明の分析装置は、測定動作の進捗に合わせてディスプレイ３に表示させる絵を変更させてもよい。例えば、ステップＳ２１（図１７）において、寝ている状態のイヌの絵を表示させ、ステップＳ２７において、寝たまま顔を上げた状態のイヌの絵を表示させ、ステップＳ３４において、座った状態のイヌの絵を表示させ、ステップＳ３９で立った状態のイヌの絵を表示させてもよい。この場合、イヌの絵は、画面の同じ位置に表示させてもよいし、位置を変えて表示させてもよい。
【００６０】
また、この発明の分析装置は、測定動作の進捗に合わせてディスプレイ３に文字を表示させてもよい。例えば、ステップＳ２１（図１７）において、「ワン」という文字を表示させ、ステップＳ２７において、「ワンワン」という文字を表示させ、ステップＳ３４において、「ワンワンワン」という文字を表示させ、ステップＳ３９で「ワンワンワンワン」という文字を表示させてもよい。
【００６１】
また、この発明の分析装置は、測定動作が終了したことを示すメッセージを表示させてもい。例えば、ステップＳ３９（図１７）において、「測定終了」という文字を表示させてもよい。
また、この発明の分析装置は、測定終了までの時間を示すメッセージを表示させてもよい。例えば、ステップＳ３４（図１７）において、「測定終了まであと１分です」という文字を表示させてもよい。
【００６２】
この発明は、上記の実施形態に限定されるものではない。例えば、イヌとネコ以外の血液も分析可能な血液分析装置に適用してもよい。またこの発明は、希釈した血液を測定するモードと希釈していない血液を測定するモードとで動作可能な血液分析装置など様々な血液分析装置に適用可能である。さらに、この発明は、尿分析装置などの様々な分析装置にも適用可能である。
【００６３】
また、上記の実施形態では、測定機構とディスプレイとが一体となった分析装置について説明したが、この発明はこれに限定されるものではなく、測定機構を搭載する分析装置本体とパーソナルコンピュータとを接続ケーブルで接続した分析装置にも適用可能である。この場合、例えば、上記のアプリケーションプログラムをパーソナルコンピュータに記憶させ、測定動作プログラムを分析装置本体に記憶させてもよい。
【産業上の利用可能性】
【００６４】
本発明の動物用血液分析装置は、タッチパネル式ディスプレイと、複数の種類の動物から測定対象の動物を選択するための選択画面をタッチパネル式ディスプレイに表示する選択画面表示手段と、タッチパネル式ディスプレイに表示された選択画面を介して選択された測定対象動物の血液の測定が開始されると、測定の進捗に伴ってエサに向かって移動するように測定対象動物の絵を表示する測定中画面をタッチパネル式ディスプレイに表示する測定中画面表示手段と、を備えるので、操作の利便性が十分に向上される。
【図面の簡単な説明】
【００６５】
【図１】本発明の実施形態に係る血液分析装置の構成を示す図である。
【図２】制御基板部９の構成を示す図である。
【図３】メイン画面を示す図である。
【図４】初期測定中画面（イヌ）を示す図である。
【図５】初期測定中画面（ネコ）を示す図である。
【図６】イヌ測定モードが選択されている場合の測定中画面（ＬＶ０）を示す図である。
【図７】イヌ測定モードが選択されている場合の測定中画面（検体取出）を示す図である。
【図８】イヌ測定モードが選択されている場合の測定中画面（ＬＶ１）を示す図である。
【図９】イヌ測定モードが選択されている場合の測定中画面（ＬＶ２）を示す図である。
【図１０】ネコ測定モードが選択されている場合の測定中画面（ＬＶ０）を示す図である。
【図１１】ネコ測定モードが選択されている場合の測定中画面（検体取出）を示す図である。
【図１２】ネコ測定モードが選択されている場合の測定中画面（ＬＶ１）を示す図である。
【図１３】ネコ測定モードが選択されている場合の測定中画面（ＬＶ２）を示す図である。
【図１４】分析結果画面（イヌ）を示す図である。
【図１５】分析結果画面（ネコ）を示す図である。
【図１６】アプリケーションプログラムによって実行される処理を概略的かつ総括的に示すフローチャートである。
【図１７】測定処理ルーチンの詳細を示すフローチャートである。
【図１８】初期測定中画面表示処理ルーチンの詳細を示すフローチャートである。
【図１９】測定動作プログラムによって実行される処理を概略的かつ総括的に示すフローチャートである。
【図２０】分析処理ルーチンの詳細を示すフローチャートである。
【図２１】初期画面の説明図である。
【符号の説明】
【００６６】
１ 血液分析装置
２ ハウジング
３ ディスプレイ
４ 検体セットパネル
５ 押しボタン
６ 検体セット部
７ 検体処理部
８ 流体制御部
９ 制御基板部
１０ 電源部
１１ プリンタ部
１２ 測定機構
１３ 試薬容器
１５ チューブ
１６ 吸引機構
１７ 検出部
１８ ミックスチャンバ
２０ ＣＰＵ
２１ メモリ
２２ 駆動回路
２３ アラーム
２４ Ａ／Ｄ変換回路
【図１】
2008224693.tif 000003
【図２】
2008224693.tif 000004
【図３】
2008224693.tif 000005
【図４】
2008224693.tif 000006
【図５】
2008224693.tif 000007
【図６】
2008224693.tif 000008
【図７】
2008224693.tif 000009
【図８】
2008224693.tif 000010
【図９】
2008224693.tif 000011
【図１０】
2008224693.tif 000012
【図１１】
2008224693.tif 000013
【図１２】
2008224693.tif 000014
【図１３】
2008224693.tif 000015
【図１４】
2008224693.tif 000016
【図１５】
2008224693.tif 000017
【図１６】
2008224693.tif 000018
【図１７】
2008224693.tif 000019
【図１８】
2008224693.tif 000020
【図１９】
2008224693.tif 000021
【図２０】
2008224693.tif 000022
【図２１】
2008224693.tif 000023